(57)【要約】【課題】簡単な構造で安定に積層可能であり、重ねて使用することにより高い断熱性を有するコップを提供する。【解決手段】上方に位置する部分ほど径が大きくなる筒状の側面１２と、側面１２の下端部を閉鎖する底部１４を有する。側面１２の開口部１６には、側面１２の内周面１２ｄに突出する膨出部２０を備える。側面１２の途中の外周面１２ｃには、凹部１８を有する。側面１２は、開口部１６と凹部１８の間の長さと等しい長さを空けて、２つのコップ１０を重ねた状態で、上方に位置する一方のコップ１０の凹部１８に、下方に位置する他方のコップ１０の膨出部２０が嵌合し、一方のコップ１０の側面１２の外周面１２ｃと、他方のコップ１０の内周面１２ｄの内側との間に、わずかな隙間Ｗが形成される。【選択図】図１
2018187202.tif 000002
【特許請求の範囲】
【請求項１】
上方に位置する部分ほど径が大きくなる筒状の側面と、前記側面の下端部を閉鎖する底部を有したコップであって、
前記側面の前記底部と反対側の開口部には、前記側面の内周面に突出する膨出部が設けられ、前記側面の途中の外周面に凹部が設けられ、前記側面は、前記開口部と前記凹部の間の長さと等しい長さを空けて重ねた状態で、上方に位置する一方の前記コップの前記凹部に、下方に位置する他方の前記コップの前記膨出部が嵌合して係止され、前記一方のコップの前記側面の外周面と、前記他方のコップの内周面の内側との間にわずかな隙間が形成され断熱用空気層が設けられることを特徴とするコップ。
【請求項２】
前記コップの前記側面は、円錐台状の筒形である請求項１記載のコップ。
【請求項３】
前記側面の、前記凹部と前記開口部の間の部分は、前記側面の深さ方向に交差する断面形状が一定の筒部である請求項１記載のコップ。
【請求項４】
前記膨出部と前記凹部は、前記側面の深さ方向に対して交差する方向に一周して設けられ、互いに略平行である請求項１記載のコップ。
【請求項５】
前記開口部には蓋部材が着脱可能に取り付けられ、前記蓋部材には、前記開口部を閉鎖する天板を有し、前記天板の周縁部には、前記コップの前記開口部周縁部を覆う嵌合溝部が環状に設けられ、前記嵌合溝部の内周面は、前記開口部に設けられている前記膨出部を嵌合する形状に形成されている請求項１記載のコップ。
【発明の詳細な説明】
【技術分野】
【０００１】
この発明は、上方に位置する部分ほど径が大きくなる側面を備え、同形の複数個を上下に重ねることが可能なコップに関する。
【背景技術】
【０００２】
従来、飲料を入れるコップには、上方に位置する部分ほど径が大きくなる側面を備えたものがある。この様なコップは、使用しないときに同形の複数個を上下に重ねてコンパクトに収容することができる。従来、上下に重ねる際のいろいろな工夫が設けられたものがある。
【０００３】
特許文献１に開示されているコップは、円板状の底部と、底部の外側の周縁部から立ち上がる外壁と、底部の内側の周縁部から立ち上がる係合突起とを備えている。外壁は、上部に位置する部分ほど広がる円錐台状の筒状に形成され、係合突起は上部に位置する部分ほど縮まる円錐台状の筒状に形成されている。係合突起の傾斜角度は、外壁の傾斜角度よりも大きく設定されている。このため、２つのコップを、それぞれの係合突起を係合させることで上下に重ねた時に、それぞれの外壁の間にギャップが形成されて両者は接触しないものである。このコップによれば、重ねた時に下側のコップの外壁と上側のコップの外壁が接触することがなく、傷ついたり割れたりすることを防ぐことができる。
【０００４】
特許文献２に開示されている紙コップは、コップ本体の開口縁部の外周側にリング状に張り出す枠部を有し、枠部同士が積層する形で複数個が嵌合できる構成の紙コップであり、コップ本体の周壁の枠部の下方部位に壁面から突出する１以上の突起が設けられている。複数個の紙コップを、嵌合状態で積層した場合に、１つの紙コップのコップ本体の周壁面から突出する突起の先端が、隣接する他の紙コップの周壁面に当接して隙間が発生し、完全な密着状態となることを回避することができる。この紙コップは、飲料水供給所等の紙コップホルダに開口部を上向きにした状態で複数個、上下方向に嵌合積層状態で収納され、最下端のものから順次に下方に引き抜いて使用する。この際に、紙コップ相互間の摩擦抵抗が減少するため、１つの紙コップを抜き取ろうとした場合に他の紙コップが同時に抜き取られるという不具合を解消することができる。
【０００５】
また、外容器と内容器が断熱空間を介して重ねられ、断熱性を備えたものがある。特許文献３に開示されている飲食用カップは、耐熱ガラス製で上広がりの内容器と、この内容器の外側に断熱空間を形成して着脱自在に嵌合する合成樹脂製の外容器とからなる。内容器は、外周の上下２カ所に環状の係合溝を持ち、上端縁部には、段部が一周して設けられている。外容器は、内容器の各係合溝に弾性的に係合する係合突起を内周に持ち、上端は内容器の段部の直下で終結する。この飲食用カップは、内容器と外容器の間に断熱空間が設けられているため、内容物が熱くても素手で保持することができ、また内容物は冷めにくいものである。
【先行技術文献】
【特許文献】
【０００６】
【特許文献１】特開２０１０−３５９７２号公報
【特許文献２】特開２０００−３０２１３２号公報
【特許文献３】特開２００８−２１３９３０号公報
【発明の概要】
【発明が解決しようとする課題】
【０００７】
上記背景技術の場合、特許文献１のコップと、特許文献２の紙コップは、複数個を重ねた時に隙間を設け、傷をつけないようにし、また外しやすいようにしたものであり、重ねた状態で飲料を入れて使用することや断熱性を付与することは考えられていないものである。特許文献３の飲食用カップは、内容器と外容器を重ねた状態で飲料や食品を入れて使用することができるが、内容器と外容器では、素材と形状が異なり、製造が面倒でコストがかかるものである。
【０００８】
この発明は、上記背景技術の問題点に鑑みてなされたものであり、簡単な構造で安定に積層可能であり、重ねて使用することにより高い断熱性を有するコップを提供することを目的とする。
【課題を解決するための手段】
【０００９】
本発明は、上方に位置する部分ほど径が大きくなる筒状の側面と、前記側面の下端部を閉鎖する底部を有したコップであって、前記側面の前記底部と反対側の開口部には、前記側面の内周面に突出する膨出部が設けられ、前記側面の途中の外周面には凹部が設けられ、前記側面は、前記開口部と前記凹部の間の長さと等しい長さを空けて２つの前記コップを重ねた状態で、上方に位置する一方の前記コップの前記凹部に、下方に位置する他方の前記コップの前記膨出部が嵌合して係止され、前記一方のコップの前記側面の外周面と、前記他方のコップの内周面の内側との間にわずかな隙間が形成され断熱用空気層が設けられるコップである。
【００１０】
前記コップの前記側面は、円錐台状の筒形である。前記側面の、前記凹部と前記開口部の間の部分は、前記側面の深さ方向に交差する断面形状が一定の筒部である。
【００１１】
前記膨出部と前記凹部は、前記側面の深さ方向に対して交差する方向に一周して設けられ、互いに略平行である。
【００１２】
前記開口部には蓋部材が着脱可能に取り付けられ、前記蓋部材には、前記開口部を閉鎖する天板を有し、前記天板の周縁部には、前記コップの前記開口部の周縁部を覆う嵌合溝部が環状に設けられ、前記嵌合溝部の内周面は、前記開口部に設けられている前記膨出部を嵌合する形状に形成されている。
【発明の効果】
【００１３】
本発明のコップは、簡単な構造で同形の２個を重ねて使用することができ、２個重ねて使用する時は断熱用空気層が形成され高い断熱性を有するものである。重ねたコップは、一方のコップの膨出部が他方のコップの凹部に嵌合されることで係止され、飲んでいる時に不用意に外れることがなく安全である。
【図面の簡単な説明】
【００１４】
【図１】この発明の一実施形態のコップの２個を重ねて使用する状態を示す縦断面図である。
【図２】図１のＡ部分の拡大縦断面図である。
【図３】この実施形態のコップの正面図である。
【図４】この実施形態のコップの縦断面図である。
【図５】この実施形態のコップの蓋を取り付けた状態を示す正面図である。
【図６】この実施形態のコップの蓋を取り付けた状態を示す縦断面図である。
【図７】この実施形態のコップの蓋を取り付けた状態を示す平面図である。
【発明を実施するための形態】
【００１５】
以下、この発明の実施形態について図面に基づいて説明する。図１〜図７はこの発明の一実施形態を示すもので、この実施形態のコップ１０は、ポリプロピレン等の合成樹脂で形成され、上方に位置する部分ほど径が大きくなる円錐台の筒状の側面１２と、側面１２の下端部を閉鎖する底部１４で形成されている。側面１２と底部１４は、ほぼ同じ肉厚であり、なだらかに連続して形成されている。側面１２の上方、つまり底部１４と反対側は、飲料を入れる開口部１６となる。
【００１６】
側面１２の、開口部１６から所定長さＬ１の下方までの部分は、側面１２の深さ方向に交差する断面形状が一定の円筒部１２ａとなる。Ｌ１は、例えば側面１２の深さの２０％程度の長さである。円筒部１２ａの下端部には、側面１２の外周面１２ｃを浅く切り欠いて下方に開口する凹部１８が設けられ、凹部１８は円筒部１２ａの下端部に沿って一周して設けられている。凹部１８の直径は、開口部１６の後述する膨出部２０の内径とほぼ等しく、同形のコップ１０を上下に重ねた時に膨出部２０が凹部１８に嵌合されて係止される。なお、凹部１８の上端部は円筒部１２ａに連続する段部となり、円筒部１２ａは膨出部２０の内径よりも大きい直径を有するため、同形のコップ１０を上下に重ねた時にこの段部に膨出部２０が当接し、それ以上重ならない。
【００１７】
側面１２の、凹部１８よりも底部１４に近い部分は、底部１４に近づくにつれて直径が小さくなる円錐台状の筒形のテーパー部１２ｂである。テーパー部１２ｂの傾斜角度は、図２に示すように開口部１６と凹部１８の間の長さＬ１を下方に進むにつれて、側面１２の外周面１２ｃが内周面１２ｄの内側にわずかな隙間Ｗを開ける長さＬ２であり、コップ１０の水平方向での厚みをｔとすると、Ｗ＝Ｌ２−ｔである。
【００１８】
開口部１６の周縁部には、膨出部２０が一周して設けられている。膨出部２０の、開口部１６直径方向の断面形状は、側面１２の厚みよりも大きい幅を有する変形した円形の断面形状であり、側面１２の外周面１２ｃと内周面１２ｄの両側に突出している。側面１２の内周面１２ｄ側に突出した部分の曲率は、外周面１２ｃ側に突出した部分の曲率よりわずかに大きいものであり、凹部１８の曲率よりもわずかに大きく凹部１８に嵌合可能な形状である。
【００１９】
コップ１０の開口部１６には、図５〜図７に示すように、蓋部材２２が着脱可能に取り付けられている。蓋部材２２はポリエチレン等の合成樹脂製であり、円形の天板２４を有し、天板２４は、コップ１０の開口部１６を覆う大きさである。天板２４の周縁部には、短い円筒状の外筒部２６が一周して設けられている。外筒部２６の内側には、外筒部２６より少し径が小さい内筒部２８が外筒部２６と同心円で設けられている。内筒部２８は、外筒部２６よりも天板２４からの突出長さが短い。外筒部２６は、蓋部材２２をコップ１０に取り付けた時に側面１２の外周面１２ｃに密着し、内筒部２８は、側面１２の内周面１２ｄに密着し、液密となる。外筒部２６、天板２４、内筒部２８で囲まれ下方に開口する環状の空間は、コップ１０の開口部１６周縁部を覆う嵌合溝部２９となり、嵌合溝部２９の天板２４付近の内周面は、開口部１６周縁部に設けられている膨出部２０を嵌合する形状である。また外筒部２６の、天板２４と反対側の下端部は、膨出部２０の外周面１２ｃより下方で、側面１２から離れる方向に僅かに広がっている。
【００２０】
蓋部材２２の天板２４には、周縁部の一か所に、飲み口３０が設けられている。飲み口３０は、天板２４周縁部に沿って天板２４から立ち上がるガイド片３２が設けられ、ガイド片３２の内側は天板２４より高い飲み口面３４が、天板２４に対して平行に設けられている。飲み口面３４の中心には、ガイド片３２の中心に隣接してはくぼみ３５が設けられ、くぼみ３５の中心には天板２４を貫通する透孔３６が形成されている。透孔３６は、天板２４の円周方向に長い楕円形状であり、透孔３６の中心から天板２４の中心に向って所定長さで延出する通気用のスリットが設けられている。
【００２１】
次に、この実施形態のコップ１０の使用方法について説明する。コップ１０の中に飲料を入れる。そしてコップ１０の開口部１６に蓋部材２２を取り付けると、こぼれにくくなり、飲みやすくなる。飲料が熱い場合は、図１に示すように同形のコップ１０、２個を、一方のコップ１０の開口部１６に、他方のコップ１０を底部１４から入れて、上下に重ねる。重ねた時、下のコップ１０の開口部１６の膨出部２０内周面１２ｄ側の部分が上のコップ１０の凹部１８に嵌合されて係止され、それ以上深く重なることを防ぐ。この時、上下のコップ１０の側面１２の間には、図２に示すように隙間Ｗが生じ、断熱用空気層３８が設けられる。上下のコップ１０の底部１４の間にも隙間が生じ、断熱用空気層３８に連続する断熱用空気層４０が設けられる。断熱用空気層３８，４０は、凹部１８と膨出部２０が嵌合されてほぼ密閉され、外気が流れ込んだりして熱交換することが少ない。断熱用空気層４０は断熱用空気層３８よりも厚く設けられ、この空間に小物４２を収容してもよい。小物４２として例えば生地、玩具、お菓子等何でもよい。
【００２２】
この実施形態のコップ１０によれば、簡単な構造で同形の２個を重ねて使用することができ、２個重ねて使用する時は断熱用空気層３８，４０が形成され高い断熱性を有するものである。これにより、熱い飲料は冷めにくく、コップ１０を素手で持っても熱くない。また、冷たい飲料はぬるくならず、素手で持っても冷たくなく、コップ１０の表面に結露を生じることもない。断熱用空気層３８，４０は、凹部１８と膨出部２０が係合してほぼ密閉され、外気が混入したり熱交換することが少なく、保温性が高い。また、使用者の手や顔に断熱用空気層３８，４０の熱い空気がかかることがなく、安全である。
【００２３】
コップ１０を上下に重ねる時は、膨出部２０が凹部１８に嵌合されるだけで確実に取り付けられ、連結用の部材を必要とせず、簡単である。コップ１０を上下に重ねた時、直径が一定の円筒部１２ａが上下に連続し、外観がすっきりとして違和感がない。上下に重ねたコップ１０は、膨出部２０が凹部１８の凹部に嵌合されて係止されているため、飲料を飲んでいる時に不用意に外れることがなく安全である。しかも、保管や運搬の際は、２個以上を重ねてコンパクトに収納することができ、振動で外れることがなく、保管や運搬が容易である。上下に重ねたコップ１０を外す時は、上下に一定以上の力で引くことにより、簡単に外すことができる。
【００２４】
またコップ１０は１個を単体でも使用することができる。コップ１０は、上下で形状を変える必要がなく製造が容易であり、上下に重ねる順番を確認する必要がなく重ねる際の作業効率が良い。底部１４どうしの間の断熱用空気層４０は、小物４２を入れることができ、販売促進用の小物４２を入れることもできる。上下に重ねたコップ１０は、側面１２どうしが接触しないため、側面１２に傷が付かず、綺麗な外観を維持することができる。
【００２５】
蓋部材２２は、嵌合溝部２９がコップ１０の膨出部２０が嵌合される形状に形成されているため、幅が大きい膨出部２０がコップ１０に設けられていても密着して取り付けることができ、飲料の液漏れを防ぐ。蓋部材２２には、飲み口３０が設けられて飲みやすいものである。
【００２６】
なお、この発明のコップは、上記実施の形態に限定されず、膨出部と凹部の大きさや位置等、適宜変更可能であり、確実に互いに係止され、簡単に外すことができるものであれば良い。蓋部材の形状も上記以外でも良く、液漏れせず飲みやすいものであれば良い。側面や底部の大きさや形状、深さ等も適宜変更可能であり、飲料の種類に合わせて選択することができる。飲料以外に麺類やヨーグルト等、色々なものを入れて使用することができる。コップの材料は合成樹脂以外に金属製やガラス製等でもよい。
【符号の説明】
【００２７】
１０  コップ
１２  側面
１２ａ  円筒部
１２ｃ  外周面
１２ｄ  内周面
１４  底部
１６  開口部
１８  凹部
２０  膨出部
２２  蓋部材
２４  天板
２９  嵌合溝部
３８  断熱用空気層
【図１】
2018187202.tif 000003
【図２】
2018187202.tif 000004
【図３】
2018187202.tif 000005
【図４】
2018187202.tif 000006
【図５】
2018187202.tif 000007
【図６】
2018187202.tif 000008
【図７】
2018187202.tif 000009